(57)【要約】      （修正有）【課題】バランススプリングスタッドの簡易な組み立てまたは分解を可能にする、時計のバランススプリングを保持または支持するためのアセンブリを提供する。【解決手段】バランススプリングスタッドおよびスタッドホルダー３を備える時計のバランススプリングを保持または支持するためのアセンブリであって、スタッドホルダー３は基部を備え、基部は基部の縦軸に沿って伸展している第一の停止部材と、基部の縦軸に沿って伸展した第二の停止部材が設けられた弾性手段とを備え、さらにバランス−コックに対してスタッドホルダー３を連結するための手段７１、７２を備える。【選択図】図５
2016114601.tif 000002
【特許請求の範囲】
【請求項１】
バランススプリングスタッド（９）およびスタッドホルダー（３）を備えている、時計のバランススプリングを保持または支持するためのアセンブリであって、ここで該スタッドホルダーは：
−  該基部の縦軸（Ｌ）に沿って伸展している第一の停止部材（３２、３２０）を備える基部（３０、３００）と；
−  バランス−コック（５）に対して該スタッドホルダーを連結するための手段（７）と、を備え、
該スタッドホルダーはさらに、第二の停止部材（３６、３６０）を設けられた弾性手段（３４、３４０）を備え、該弾性手段は、該基部の該縦軸にそって伸展しており、その結果該第二の停止部材は、該第一の停止部材に面して位置しており、該第一の停止部材と該第二の停止部材との間のスペースは、該スタッドのためのハウジング（４）を形成していること、ならびに該弾性手段は該スタッドに対して、該スタッドは該ハウジング内に位置している場合、自然に応力を発揮するように作製してあり、該ハウジングは拡張して、該弾性手段の変形によって該スタッドを解放し得、該弾性手段（３４０）は該基部から伸展している２つのアーム（３５０）を備えており、該アームはお互いに連結してあり、かつ凸形状を有しており、その結果該２つのアームに対する、それらをお互いに近づけるように動かすことを意図した応力の適用は、該ハウジングを拡張するように意図した該第二の停止部材（３６０）の置き換えを生じることを特徴とする、アセンブリ。
【請求項２】
前記弾性手段を形成する２つのアームは、前記基部の縦軸に対して対称性であるということを特徴とする、請求項１に記載のホールディングアセンブリ。
【請求項３】
前記２つのアームの各々は、ノッチ（３５２）を備えることを特徴とする、請求項１に記載のホールディングアセンブリ。
【請求項４】
前記スタッドホルダー（３）は、プラスチック材料からできていることを特徴とする、請求項１〜３のいずれか一項に記載のホールディングアセンブリ。
【請求項５】
前記スタッドホルダー（３）は、金属性材料からできていることを特徴とする、請求項１〜３のいずれかに記載のホールディングアセンブリ。
【請求項６】
前記スタッドホルダー（３）は、単結晶材料からできていることを特徴とする、請求項１〜３のいずれかに記載のホールディングアセンブリ。
【請求項７】
前記連結の手段（７）は、前記スタッドホルダーの第一の穴（７１）と連携している前記バランスコック中に配置された穴（７０）と、両方の穴に挿入されたネジ（７２）とを備えることを特徴とする、請求項１〜６のいずれか一項に記載のホールディングアセンブリ。
【請求項８】
前記連結の手段（７）はさらに、前記バランスコック上に配置された突起（７４）と、前記スタッドホルダー中に配置された第二の穴（７５）とを備えており、該突起は該第二の穴と連携していることを特徴とする、請求項７に記載のホールディングアセンブリ。
【請求項９】
前記連結の手段（７）はさらに、前記スタッドホルダー上に配置された突起（７４）と、前記バランスコック中に配置された第二の穴（７５）とを備えており、該突起は該第二の穴と連携していることを特徴とする、請求項７に記載のホールディングアセンブリ。
【請求項１０】
前記連結の手段（７）はさらに、前記バランスコック上に配置された突出部（７７）と、前記スタッドホルダー中に配置された凹部（７６）とを備えており、該凹部は該突出部と連携していることを特徴とする、請求項７に記載のホールディングアセンブリ。
【請求項１１】
前記突出部（７７）および前記凹部（７６）は同じ寸法を有することを特徴とする、請求項１０に記載のホールディングアセンブリ。
【請求項１２】
前記第一の穴（７１）は円周の弧の形状を有し、前記凹部（７６）は、前記突出部（７７）よりも大きい角度で伸展して、前記スタッドホルダーを角度的に旋回可能にさせることを特徴とする、請求項７〜１０のいずれか一項に記載のホールディングアセンブリ。
【請求項１３】
前記スタッドホルダーおよび前記バランスコックはワンピースであることを特徴とする、請求項１〜６のいずれか一項に記載のホールディングアセンブリ。
【発明の詳細な説明】
【技術分野】
【０００１】
本発明は、バランススプリングスタッドおよびスタッドホルダーを備えている、時計のバランススプリングを保持または支持するためのアセンブリであって、ここで該スタッドホルダーは：
−  該基部の縦軸に沿って伸展している第一の停止部材を備えている基部と；
−  該スタッドホルダーを脱進機構に対して固定する手段と、
を備える、アセンブリに関する。
【背景技術】
【０００２】
先行技術
機械的な時計では、スプラングバランス装置を備える調節性部材を用いることが通常である。従来、このバランススプリングの内部末端は、バランススタッフ上に設けられたコレットに連結される。このバランススプリングの内側末端に連結して配置するために、スタッドホルダー中に係合されたバランススプリングの一部に対してスタッドをクランプ締めするようにクランプ締めネジと関連して、バランススプリングスタッドを収容するスタッドホルダーを用いることが公知である。
【０００３】
このようなアセンブリでは、このスタッドホルダーは、従来は、バランススタッフの末端の１つに連結するためにも用いられるバランスコックに対して連結される。実際、組み立ておよび／または計時の間、これらの種々の構成要素で行うべき操作は困難である。なぜなら、アクセスが制限されており、部品は、極めて小さい寸法の部品であるからである。さらに、このような構成では、バランススプリングのクランプ締めネジまたはバランススプリングのスタッドホルダーが、バランススプリングの有効長の調節などの操作の間に、緩んでくるか、および／または失われることが通常である。
【発明の概要】
【発明が解決しようとする課題】
【０００４】
時計のバランススプリングを保持または支持するためのアセンブリを提供して、これによって、バランススプリングスタッドの簡易な組み立てまたは分解を可能にすることを提唱することによって、先行技術の欠点を克服することが本発明の目的である。
【課題を解決するための手段】
【０００５】
この目的を達成するために、本発明は、バランススプリングスタッドおよびスタッドホルダーを備えている、時計のバランススプリングを保持または支持するためのアセンブリであって、ここでこのスタッドホルダーは：
−  基部であって、該基部の縦軸に沿って伸展している第一の停止部材を備えている基部と；
−  バランス−コックに対して該スタッドホルダーを固定するための手段と、を備え、
該スタッドホルダーはさらに、第二の停止部材を設けられた弾性手段を備え、この弾性手段は、該基部の該縦軸にそって伸展しており、その結果該第二の停止部材は、該第一の停止部材に面して位置しており、該第一の停止部材と該第二の停止部材との間のスペースは、該スタッドのためのハウジングを形成しているという点で、ならびに該弾性手段は該スタッドに対して、このスタッドはこのハウジング内に位置している場合、自然に応力を発揮するように作製してあり、該ハウジングは拡張して、該弾性手段の変形によって該スタッドを解放し得るという点で特徴付けられる、アセンブリに関する。
【０００６】
本発明の１つの利点は、これによって上記スタッドの簡易な組み立て／分解が可能になるということである。
【０００７】
第一の有利な実施形態では、上記弾性手段は、少なくとも１つのアームを備え、該アームの遊離端は、第二の停止部材を保有している。
【０００８】
第二の有利な実施形態では、上記弾性手段は、上記基部から伸展している２つのアームを備え、このアームは、お互いと一体であり、かつ凸形状を有している。
【０００９】
第三の有利な実施形態では、弾性手段を形成する２つのアームは、該基部の縦軸に対して対称である。
【００１０】
第四の有利な実施形態では、この２つのアームの各々は、１つのノッチを備える。
【００１１】
別の有利な実施形態では、上記スタッドホルダーは、プラスチック材料からできている。
【００１２】
別の有利な実施形態では、上記スタッドホルダーは、金属性材料からできている。
【００１３】
別の有利な実施形態では、上記スタッドホルダーは、単結晶材料からできている。
【００１４】
別の有利な実施形態では、上記連結の手段は、上記スタッドホルダーの第一の穴と連携している前記バランスコック中に配置された穴と、両方の穴に挿入されたネジとを備える。
【００１５】
別の有利な実施形態では、上記連結の手段はさらに、上記バランスコック上に配置された突起と、上記スタッドホルダー中に配置された第二の穴とを備えており、該突起はこの第二の穴と連携している。
【００１６】
別の有利な実施形態では、上記連結の手段はさらに、上記スタッドホルダー上に配置された突起と、上記バランスコック中に配置された第二の穴とを備えており、該突起はこの第二の穴と連携している。
【００１７】
別の有利な実施形態では、上記連結の手段はさらに、上記バランスコック上に配置された凹部と、上記スタッドホルダー中に配置された突出部とを備え、該凹部は、該突出部と連携している。
【００１８】
別の有利な実施形態では、上記第一の穴は円周の弧の形状を有し、上記スタッドホルダーが角度的に旋回することを可能にする。
【００１９】
別の有利な実施形態では、上記スタッドホルダーおよび上記バランスコックはワンピースである。
【００２０】
本発明の目的、利点および特徴は、単なる非限定的な例として示され、かつ添付の図面で図示される、本発明の少なくとも１つの実施形態の以下の詳細な説明でさらに明らかになる。
【図面の簡単な説明】
【００２１】
【図１ａ】図１ａは、本発明による、ホールディングアセンブリの第一の実施形態の図を示す。
【図１ｂ】図１ｂは、本発明による、ホールディングアセンブリの第一の実施形態の図を示す。
【図１ｃ】図１ｃは、本発明による、ホールディングアセンブリの第一の実施形態の図を示す。
【図１ｄ】図１ｄは、本発明による、ホールディングアセンブリの第一の実施形態の図を示す。
【図２ａ】図２ａは、本発明による、ホールディングアセンブリの第二の実施形態の図を示す。
【図２ｂ】図２ｂは、本発明による、ホールディングアセンブリの第二の実施形態の図を示す。
【図２ｃ】図２ｃは、本発明による、ホールディングアセンブリの第二の実施形態の図を示す。
【図２ｄ】図２ｄは、本発明による、ホールディングアセンブリの第二の実施形態の図を示す。
【図３ａ】図３ａは、本発明による、連結の手段の第一の代替法の図を示す。
【図３ｂ】図３ｂは、本発明による、連結の手段の第一の代替法の図を示す。
【図４ａ】図４ａは、本発明による、連結の手段の第二の代替法の図を示す。
【図４ｂ】図４ｂは、本発明による、連結の手段の第二の代替法の図を示す。
【図４ｃ】図４ｃは、本発明による、連結の手段の第二の代替法の図を示す。
【図５】図５は、本発明による、連結の手段の第二の代替法の変法の図を示す。
【図６】図６は、本発明による、連結の手段の第三の代替法の図を示す。
【図７】図７は、本発明による、連結の手段の第四の代替法の図を示す。
【図８】図８は、本発明の変法の図を示す。
【発明を実施するための形態】
【００２２】
発明の詳細な説明
本発明は、バランススプリングスタッドのより簡便な組み立て／分解を可能にする、時計のバランススプリングを保持または支持するためのアセンブリを提供する一般的な着想に由来する。
【００２３】
図１ａ〜図１ｄは、第一の実施形態によるバランススプリングスタッドを保持または支持するためのアセンブリ１の模式図を示す。このホールディングアセンブリ１は、連結の手段７によってバランスコック５に連結されるように配置されたスタッドホルダー３を備える。このホールディングアセンブリはまた、バランススプリングの１つのコイルに連結されたバランススプリングスタッド９も備える。
【００２４】
スタッドホルダー３は、縦軸を有している基部３０を備える。基部３０は、任意の形状を有してもよい。基部３０から、第一の停止部材３２が進展する。この第一の停止部材は、基部３０の突出部分の形態をとる。
【００２５】
有利なことに、本発明によれば、スタッドホルダー３はまた、スタッドホルダーに対するスタッド９の連結を提供するための弾性手段３０を備える。
【００２６】
図１ａに示される第一の実施形態では、上記弾性手段は、アーム３５を備える。このアーム３５は、基部３０から、第一の停止部材３２の方向と同様の方向に、すなわち、縦軸の方向と同様の方向に伸展する。このアーム３５は、屈曲中に直線的な形状の末端を有しており、かつ第二の停止部材３６を配置してある遊離端を備える。最初の位置では、弾性アーム３４が休止モードである場合、すなわち、それに対して応力を加えていない場合、第二の停止部材３６が第一の停止部材３２に面して配置されるように、弾性アーム３５および第二の停止部材３６を形成する。
【００２７】
このような場合、スペース４が、第一の停止部材３２と第二の停止部材３６との間に存在し、このスペースが、スタッド９のためのハウジングを形成する。
【００２８】
本発明によれば、弾性アーム３４は、図１ｃに示されるように、スタッド９が第一の停止部材３２と第二の停止部材３６との間に存在するハウジング４中に位置する場合、そのスタッド９に対して自然に力を発揮するように巧妙に考案してある。
【００２９】
従って、スタッドホルダー３上でスタッド９を組み立てるかまたは分解するために、応力Ｃがアーム６５に対して発揮されなければならない。この応力Ｃは、弾性アーム３４に対して発揮されて、そのアームを弾性的に変形させる。
【００３０】
この弾性変形は、図１ｂで示されるように、第一の停止部材３４に対する第二の停止部材３６の置き換えを生じる。この置き換えは、ハウジングを拡張することを意図している。ハウジング４のこの拡大によって、スタッド９がその中に配置されること、またはそれから放出されることが可能になる。スタッド９の分解の場合、第一の停止部材３２に対する第二の停止部材３６の置き換えは、スタッド９に加えられた応力を低下することを意図している。
【００３１】
この実施形態は、単純化されるという利点を有する。なぜならネジまたは複雑な操作を行う必要がないからである。この弾性アームは、スタッド９を解放するか、またはそれをハウジング中に挿入するために、単純にワキへ移動される必要がある。さらに、このシステムによって、衝撃なしでのスタッドの組み立てまたは分解が可能になる。
【００３２】
この第一の実施形態の変法では、弾性アーム３５は、非直線的な形状を有する。例えば、このアームは、図１ｄに示されるように、凸面または凹面の輪郭を有するように屈曲してもよい。
【００３３】
図２ａに示される第二の実施形態では、弾性手段３４０は、２つの弾性アーム３５０を備える。各々の弾性アーム３５０は、第一の末端および第二の末端を備える。これらのアーム３５０は、基部３００から、この第一の末端を介して、第一の停止部材３２０の方向と同様の方向に、すなわち、縦軸の方向と同様の方向に伸展する。
【００３４】
この第二の実施形態では、２つの弾性アーム３５０が、それらの第二の末端で接続される。この接続ポイント３５１では、第二の停止部材３６０は、第一の停止部材３２０に面するように配置される。
【００３５】
本発明によれば、２つの弾性アーム３５０は、各々が巧妙に湾曲を有する。この湾曲は好ましくは凸面である。弾性アーム３５０のこの凸形状によって、スタッド９の単純化された組み立て／分解が可能になる。実際、スタッドを組み立て／分解するためには、応力Ｃ’を同時に２つの弾性アーム３５０に加える。各々の弾性アーム３５０に加えられたこの応力Ｃ’は、アーム３５０の変形を生じる。この変形は、図２ｂに示されるようにそれらのアームを一緒に近づけることを意図している。
【００３６】
従って、アーム３５０の変形が、第二の停止部材３６０の置き換えを生じることが観察される。この第二の停止部材のこの置き換えは、この第二の停止部材３６０が、第一の停止部材３２０から離れて移動し、それによって、第一の停止部材３２０と第二の停止部材３６０との間に位置するハウジング４を拡張するという点で特徴付けられる。
【００３７】
従って、このハウジングの拡張によって、スタッド９が容易にその中に配置されるか、またはそれから取り出されることが可能になる。
【００３８】
操作者がスタッドを組み立てることを望む場合、その操作者は、応力Ｃ’を両方の弾性アーム３５０に加える。この応力または圧力Ｃ’は、クランプのようなツールを用いて与えてもよい。この操作者が加える応力Ｃ’は、第二の停止部材３６０が、置き換えられてハウジングを拡張するように、アーム３５０を変形することを意図している。
【００３９】
次いで、操作者はスタッド９をとり、それを第一の停止部材３２０上に隣接して配置する。この停止部材３２０には、スタッド９を固定するためのノッチを設けてもよい。スタッド９を第一の停止部材３２０上に配置している場合、操作者は、弾性アーム３５０に対して発揮された圧力Ｃ’を解放して、第二の停止部材３６０の置き換えを行う。この置き換えは、図２ｃ中にみられるように、第二の停止部材３６０がスタッド９と接触するように入るまで、第一の停止部材３２０の近くへと第二の停止部材３６０を動かす傾向である。スタッド９は、ハウジング４よりも大きい寸法である。結果的に、第二の停止部材３６０が、移動して最初の位置に、すなわち、弾性アーム３５０が休止している位置に戻る場合、この部材は、スタッド９のサイズの方が大きいせいで、その正確な最初の位置に戻ることはできない。
【００４０】
従って、第二の停止部材３６０は、該スタッド９に力を発揮して、それを第一の停止部材３２０と第二の停止部材３６０との間に保持する。
【００４１】
操作者がスタッド９を分解することを望む場合、この操作者は、弾性アーム３５０に対して圧力Ｃ’のような応力を発揮する。この圧力は、弾性アーム３５０の変形を生じ、結果として、第二の停止部材３６０の置き換えを生じる。この置き換えは、ハウジング４を拡張し、それによってスタッド９を解放して、その結果、操作者はスタッド９を把持し得る。
【００４２】
図２ｄで見ることができるこの第二の実施形態の変法では、各々の弾性アームは、その外面上にノッチ３５２を備える。これらのノッチ３５２は、用いられるツールがその上に配置してある弾性アーム３５２に対して圧力を発揮することを可能にする特定の領域として用いられ、組み立てまたは分解の間にスライドしない。
【００４３】
スタッドホルダーをバランスコックに固定するために、連結の手段７が設けられる。
【００４４】
図３ａおよび３ｂにみられる第一の代替法では、連結の手段７は、スタッドホルダー中に配置された貫通穴７１と係わり合うバランスコック中に配置された、貫通穴であってもよく、または貫通穴でなくてもよい穴７０を備える。これらの２つの穴によってネジ７２を用いて、スタッドホルダーをバランスコックに固定することが可能になる。スタッドホルダー３をバランスコック５に固定するためのこの単一のネジ７２を、回転の軸として用いてもよい。実際、スタッドホルダーの角度調節を可能にするために、連結のこの単一のポイントを用いて予測することが可能であり、操作者はネジの軸にそってスタッドホルダーを調節する。
【００４５】
図４ａに示される第二の代替法では、連結の手段７は、バランスコック５中に配置された、貫通穴であってもよいし、貫通穴でなくてもよい穴７０と、スタッドホルダー３中に配置された第一の貫通穴７１とを備える。これらの２つの穴によって、ネジ７２を用いて、スタッドホルダー３をバランスコック５に固定することが可能になる。連結の手段７はさらに、突起７４および第二の穴７５を備え、この穴は、貫通穴であってもよいし、貫通穴でなくてもよい。突起７４を、スタッドホルダー３の上に配置してもよく、かつ第二の穴７５を、図４ａに示されるとおり、または逆もまた同様で、図４ｂおよび４ｃに示すとおり、バランスコック中に配置してもよい。
【００４６】
突起７４を含んでいるこの対（第二の穴７５）を用いて、バランスコック５に対してスタッドホルダー３の位置を安定化する。実際、第二の穴７５内に挿入される、突起７４の存在によって、操作者がネジ７２を固定する場合、角運動を妨げることが可能になる。実際、突起７４の存在なしに、ネジ７２を締め付けてスタッドホルダー３をバランスコック５に固定する場合は、スタッドホルダー３の角変位のリスクがある。
【００４７】
図５に示される第二の代替法の変法では、ネジ７２を挿入してあるスタッドホルダー３中に配置された第一の穴７１は、楕円形の穴の形態をとっても、または溝の形態をとってもよい。この溝は、スタッドホルダー３の角位置の調節を可能にする円周の弧を形成する。その場合、突起７４が旋回軸として用いられ、一旦ネジが緩められれば、スタッドホルダー３を旋回させて、その位置を調節することが可能になる。
【００４８】
図６に示される第三の代替法では、連結の手段７は、バランスコック５中に配置される、貫通穴であってもよいし、貫通穴でなくてもよい、穴７０と、スタッドホルダー３中に配置された第一の貫通穴７１とを備える。これらの２つの穴によってネジ７２を用いて、スタッドホルダーをバランスコックに固定することが可能になる。連結の手段７はさらに、スタッドホルダーの位置を安定化するために、および該スタッドホルダーの角度調節のための旋回軸として機能するために用いられるガイド手段を備える。これを達成するために、このガイド手段は、スタッドホルダー中に配置された凹部７６、およびバランスコック上に配置された突出部または突出している部分７７を備える。この凹部７６および突出部７７は、お互いと協同することが可能になり、突出部７７は、凹部７６を貫通できる。凹部７６は、円周の弧の形状を有する。スタッドホルダー３がバランスコック５上に装着された場合、突出部７７が凹部７６中に挿入されて、バランスコック５に対する該スタッドホルダー３の動きが制限される。
【００４９】
突出部７７は、スタッドホルダー３を動きの自由度なくさせるように寸法決めしてもよく、反対に、スタッドホルダーの位置の角度調節を可能にするように寸法決めしてもよい。突出部７７および凹部７６が、円周の弧の形状を有する実施例では、凹部が突出部より大きい角度を有するならば、スタッドホルダーは、穴７０がまた円周の弧の形状である場合、調節可能である。
【００５０】
第四の代替法では、連結の手段７は、第三の代替法について用いられるガイド手段、すなわち、スタッドホルダー上に配置された凹部７６、およびバランスコック上に配置された突出部７７を備える。連結の手段７はさらに、ブレーキ７８を備える。図７に示されるこのブレーキ７８は、可塑性のアームからなる。この可塑性のアームは、基部から、第一の停止部材の方向と反対の方向に伸展する。この可塑性のアームは、該可塑性のアームがスタッドホルダー３の回転を摩擦によって制限するように、バランスコック上で作用する。
【００５１】
当然ながら、スタッドホルダー３は、バランスコック５の上部表面の上に配置してもよいが、また下部表面の上に配置してもよく、すなわち、この表面はバランススプリングに面していることが理解される。この下部の表面上のこの構成によって、スタッド９は、バランススタッフの近くに移動されることが可能になる。次いで、これによって、小径のバランススプリングを用いることが可能になる。
【００５２】
スタッドホルダー３を作製するために、いくつかの材料を用いてもよい。第一の解決法によれば、スタッドホルダー３は、ポリウレタンのようなプラスチック材料からできていてもよい。この材料の利点は、この材料がモールディング技術を用いて容易に成形可能であり、それによって、良好な再現性が保証されるということである。さらにこの材料は、良好な摩耗耐性を有したままで変形することが容易であるので、良好な機械的特性を有する。
【００５３】
第二の解決法によれば、金属性材料を用いてもよい。これらの材料は、２つのカテゴリにおさまる：結晶性材料およびアモルファス材料。
【００５４】
結晶性材料は、鉄もしくはアルミニウムのような純粋な金属であってもよいし、または黄銅もしくは鋼のような合金であってもよい。これらの金属性材料は、良好な機械的特性を呈するという第一の利点を有する。実際に、金属は、高い弾性限界を有しており、それによって、プラスチック変形の前に金属は高いストレスを受けることが可能である。例えば、アルミニウムは、１８０〜２４０ＧＰａという弾性限界を有し、鋼は、鋼の種類次第で２３５〜１５００ＧＰａという弾性限界を有するが、グルーラム集成材（ｇｌｕｌａｍ  ｗｏｏｄ）は３２ＧＰａという弾性限界を有する。
【００５５】
さらに、これらの金属性材料は、成形することが容易であるという利点を有する。実際、金属性材料は、鋳造もしくは射出成型によって、またはスタンピングによって、すなわち、プレスカッティングによって成形することが可能である。
【００５６】
さらに、Ｘ線リソグラフィー、続いて電気めっきによるガルバーニ電流めっき、および成形工程による仕上げからなるＬＩＧＡ法を用いることが可能である。このＬＩＧＡ法は、良好な再現性および高い正確な産生を確実にしながら、実行することが安価でかつ迅速であるという利点を有する。
【００５７】
アモルファス金属はまた、金属ガラスとしても公知であり、無秩序な原子スケール構造（非結晶性構造）を有する物質である。実際、アモルファス材料の場合、σｅ／Ｅ比は、弾性σｅの限界を増大させることによって増大される。従って、それを超えれば材料がその最初の形状に戻らない応力が増大される。したがって、σｅ／Ｅ比におけるこの改善によって、より大きな変形が可能になる。これによって、スタッドホルダーおよび弾性アームの寸法を、スタッドホルダーに対して第二の停止部材によって与えられる圧力を変化することが望ましいか否かに応じて、最適化することが可能になる。
【００５８】
これらのアモルファス材料の別の利点は、それらによって、より高い正確性をともなって複雑な形状で、開発部分のための新しい成形可能性がもたらされるということである。実際、アモルファス金属は、各々の合金に特有の所定の温度範囲［Ｔｇ−Ｔｘ］内でアモルファスを維持したままで軟化するという特別な特性を有する（ここでＴｘは、結晶化温度であり、かつＴｇは、ガラス遷移温度（ｖｉｔｒｅｏｕｓ  ｔｒａｎｓｉｔｉｏｎ  ｔｅｍｐｅｒａｔｕｒｅ）である）。したがって、比較的低い応力のもとでかつ低温でこれらの金属を成形することが可能である。これは、微細な幾何学が極めて正確に再現され得るということを意味する。なぜなら合金の粘度は大きく低下され、したがって合金がモールド（型枠）の全ての微細構造にあてはまるからである。
【００５９】
別の解決法は、シリコン（ケイ素）のような単結晶の材料を用いることからなる。この材料は、摩擦耐性の特性、高い弾性限界および低い密度を示す。この材料はまた、耐磁性の特性および高い腐食耐性のおかげでも魅力的である。本発明によるシステムによって、衝撃なしでスタッド９の組み立て／分解が可能になるので、シリコンのような材料を用いてもよい。
【００６０】
シリコンからこのような一部を作製するために、公知のＬＩＧＡまたはＤＲＩＥの方法を用いて、良好な再現性および高い精度の部品を得る。
【００６１】
第三の実施形態では、スタッドホルダー３およびバランスコック５は、ワンピースで作製され、すなわち、それらは、同じ単一の構成要素を形成する。これに関して、バランスコック５は、基部３として作用し、この基部は、第一の停止部材を備え、これから弾性アーム（単数または複数）３５が伸展して、３５０が弾性手段３４、３４０を形成する。
【００６２】
この第三の実施形態では、スタッドホルダー３をバランスコック５に連結するための手段７の必要性が省かれる。結果的に、バランスコックに対するスタッドホルダーの組み立ての間、不適切な配置のリスクが存在する。
【００６３】
さらに、この第三の実施形態では、コストが低減される。なぜなら、２つの部品の代わりに１つの部品しか存在せず、かつこの方法は包含する工程が１つ少ないからである。
【００６４】
当業者に明らかな種々の変更および／または改善および／または組み合わせが、添付の特許請求の範囲によって規定される本発明の範囲から逸脱することなく、上記で示される本発明の種々の実施形態に対してなされ得ることが明らかになろう。
【００６５】
例えば、第一の停止部材は、弾性アームのための停止部材として作用するように構成してもよい。実際、アームを形成する寸法および材料次第で、破損またはプラスチック変形のリスクがある。この問題を克服するために、図８で見ることができる第一の停止部材３２０ａは、幅が拡張するように考案してあり、それによって、基部３００の幅よりも大きい幅になる。この特徴によって、応力Ｃ’が加えられた場合、アーム３５０の置き換えを制限することが可能になる。結果として、アーム３５０の変形は、制限され、破損のリスクは低下される。
【００６６】
またスタッドに関しては、第一の停止部材および／または第二の停止部材を平坦な部分とともに提供し、それによって、それ自体の上でスタッドが回転することを妨げることも可能である。
【図１ａ】
2016114601.tif 000003
【図１ｂ】
2016114601.tif 000004
【図１ｃ】
2016114601.tif 000005
【図１ｄ】
2016114601.tif 000006
【図２ａ】
2016114601.tif 000007
【図２ｂ】
2016114601.tif 000008
【図２ｃ】
2016114601.tif 000009
【図２ｄ】
2016114601.tif 000010
【図３ａ】
2016114601.tif 000011
【図３ｂ】
2016114601.tif 000012
【図４ａ】
2016114601.tif 000013
【図４ｂ】
2016114601.tif 000014
【図４ｃ】
2016114601.tif 000015
【図５】
2016114601.tif 000016
【図６】
2016114601.tif 000017
【図７】
2016114601.tif 000018
【図８】
2016114601.tif 000019